(57)【要約】【課題】従来より構成を単純化しながらも、吸入口を円滑に開閉できる開閉装置を備えた空気調和機を提供する。【解決手段】吸入口を備えた本体と、前記吸入口を開閉するために前記本体に回転可能に装着された前面パネルと、前記前面パネルを開閉させる開閉装置とを含み、前記開閉装置は、前記本体に昇降可能に装着された昇降部材と、前記昇降部材を昇降させる駆動装置と、前記昇降部材と前記前面パネルとを連結し、前記昇降部材の昇降運動を前記前面パネルの回転運動に転換させるリンク部材とを含むことを特徴とする空気調和機を構成する。【選択図】図３
2008267777.tif 000002
【特許請求の範囲】
【請求項１】
吸入口を備えた本体と、前記吸入口を開閉するために前記本体に回転可能に装着された前面パネルと、前記前面パネルを開閉させる開閉装置とを含み、
前記開閉装置は、前記本体に昇降可能に装着された昇降部材と、前記昇降部材を昇降させる駆動装置と、前記昇降部材と前記前面パネルとを連結し、前記昇降部材の昇降運動を前記前面パネルの回転運動に転換させるリンク部材と、を含むことを特徴とする空気調和機。
【請求項２】
前記昇降部材は、昇降方向に長く形成されたラックギア部を含み、
前記駆動装置は、前記ラックギア部に噛み合わされる駆動ギアと、前記駆動ギアを回転させる駆動モーターと、を含むことを特徴とする請求項１に記載の空気調和機。
【請求項３】
前記前面パネルは、下部が前記本体の前面に回転可能に結合され、
前記リンク部材は、一端が前記前面パネルの上部に回転可能に結合され、他端が前記昇降部材に回転可能に結合されることを特徴とする請求項２に記載の空気調和機。
【請求項４】
前記昇降部材の昇降を案内するために、前記本体の前面部内面に設けられた案内レールを含むことを特徴とする請求項１に記載の空気調和機。
【発明の詳細な説明】
【技術分野】
【０００１】
本発明は、空気調和機に関するもので、一層詳細には、吸入口を開閉できる開閉装置を備えた空気調和機に関するものである。
【背景技術】
【０００２】
特許文献１（２００４年１０月１５日公告）に開示された空気調和機は、吸入口を開閉できるシャッター装置を備えている。この空気調和機は、動作しないときにシャッター装置が吸入口を閉鎖することで、吸入口に異物質が流入することを防止するとともに、美麗な外観を提供するものである。
【０００３】
この空気調和機のシャッター装置は、吸入口の前面に横方向に長く設置される多数のグリルシャッターと、各グリルシャッターの一側に設置され、各グリルシャッターをそれぞれ異なるように昇降させる昇降駆動バーと、昇降駆動バーを昇降させる駆動モーターと、駆動モーターの回転を昇降駆動バーの昇降運動に転換させるラックギア及び駆動ギアとを含む。このシャッター装置は、駆動モーターの動作によって昇降駆動バーが昇降すると、各グリルシャッター間の間隔が増加または減少することで、吸入口を開放または閉鎖する。すなわち、各グリルシャッター間の間隔が増加すると、この隙間を通して空気が吸入され、各グリルシャッター間の間隔が減少すると、吸入流路が閉鎖される。
【特許文献１】大韓民国登録特許公報１０―４５２９８１号
【発明の開示】
【発明が解決しようとする課題】
【０００４】
しかしながら、上記のような空気調和機は、吸入口を開閉するシャッター装置が多数のグリルシャッターを含む形態であるため、部品数が多くて構造が複雑であった。したがって、製造が困難であり、製造費用が高いという問題点を有する。
【０００５】
本発明は、上記のような問題点を解決するためになされたもので、その目的は、従来より構成を単純化しながらも、吸入口を円滑に開閉できる開閉装置を備えた空気調和機を提供することにある。
【課題を解決するための手段】
【０００６】
上記のような目的を達成するための本発明に係る空気調和機は、吸入口を備えた本体と、前記吸入口を開閉するために前記本体に回転可能に装着された前面パネルと、前記前面パネルを開閉させる開閉装置とを含み、前記開閉装置は、前記本体に昇降可能に装着された昇降部材と、前記昇降部材を昇降させる駆動装置と、前記昇降部材と前記前面パネルとを連結し、前記昇降部材の昇降運動を前記前面パネルの回転運動に転換させるリンク部材と、を含むことを特徴とする。
【０００７】
また、前記昇降部材は、昇降方向に長く形成されたラックギア部を含み、前記駆動装置は、前記ラックギア部に噛み合わされる駆動ギアと、前記駆動ギアを回転させる駆動モーターと、を含むことを特徴とする。
【０００８】
また、前記前面パネルは、下部が前記本体の前面に回転可能に結合され、前記リンク部材は、一端が前記前面パネルの上部に回転可能に結合され、他端が前記昇降部材に回転可能に結合されることを特徴とする。
【０００９】
また、前記本体の前面部内面には、前記昇降部材の昇降を案内するための案内レールが設けられることを特徴とする。
【発明の効果】
【００１０】
本発明に係る空気調和機は、昇降装置及びリンク部材の動作によって前面パネルが回転・開閉される形態であるため、吸入口を開閉する開閉装置の構成を従来より単純化できるという効果を有する。
【００１１】
また、本発明は、駆動モーターの動作による昇降部材の昇降動作が前面パネルの回転開閉動作に転換されるので、前面パネルの円滑な開閉を具現できるという効果を有する。
【００１２】
また、本発明は、駆動モーターが小さい力によっても昇降部材を昇降できるので、駆動モーターの小型化が可能であり、前面パネルの開閉時に昇降部材や駆動ギアに無理な力が加えられないので、開閉装置の耐久性を高められるという効果を有する。
【発明を実施するための最良の形態】
【００１３】
以下、本発明の好適な実施例を、添付の図面に基づいて詳細に説明する。
【００１４】
本発明に係る空気調和機は、図１に示すように、建物の壁に固定される後面ボディー１１と、後面ボディー１１の前方に結合される前面ボディー１２とを含む本体１０を備えている。本体１０の前面及び上面には、室内空気を吸入するための前面吸入口１３（図２を参照）及び上面吸入口１４がそれぞれ形成され、本体１０の下側には、空気調和された空気を室内に吐出させるための吐出口１５が形成される。
【００１５】
本体１０内には、空気を熱交換するための熱交換器１６と、空気を送風するための送風ファン１７とが設置される。送風ファン１７は、横流ファンであり、本体１０内に設置された駆動モーター（図示せず）によって回転する。したがって、送風ファン１７が回転すると、吸入口１３，１４を通して空気が吸入され、この空気は、熱交換器１６を通過しながら熱交換された後、吐出口１５を通して室内に供給される。
【００１６】
本体１０の前面には、図１及び図２に示すように、前面吸入口１３を開閉するための前面パネル１８が設置され、前面パネル１８内側の前面ボディー１２には、前面パネル１８を開閉させる開閉装置２０が設置される。このような構成により、空気調和機が動作しないとき、図３に示すように、前面パネル１８が前面吸入口１３を閉鎖することで、美麗な外観を提供すると同時に、前面吸入口１３を通して埃などの異物質が流入することを防止することができる。そして、空気調和機が動作するときは、図４に示すように、開閉装置２０が前面パネル１８を開放することで、前面吸入口１３を通して空気が吸入される。
【００１７】
前面パネル１８は、前面吸入口１３を完全に覆って閉鎖できる程度の大きさを有し、その下部両側に設けられたヒンジ軸１８ａは、前面ボディー１２の両側にそれぞれ回転可能に結合される。したがって、前面パネル１８は、前後に回転しながら前面吸入口１３を開閉することができる。
【００１８】
開閉装置２０は、図２に示すように、前面ボディー１２の内側に昇降可能に装着された昇降部材２１と、昇降部材２１と前面パネル１８とを連結するリンク部材２２と、昇降部材２１を昇降させる駆動装置とを含む。昇降部材２１は、前面ボディー１２の内面に設けられた昇降レール２３に昇降可能に結合され、その一側には、上下方向に長く形成されたラックギア部２４を備えている。
【００１９】
昇降部材２１を昇降させる駆動装置は、昇降部材２１のラックギア部２４に噛み合わされる駆動ギア２５と、駆動ギア２５を正方向または逆方向に回転させる駆動モーター２６とを含む。駆動モーター２６は、前面ボディー１２内面のモーター支持部２７に固定ねじ２８締結を通して固定される。このような構成により、駆動モーター２６の動作によって駆動ギア２５が回転すると、昇降部材２１が昇降するようになる。
【００２０】
リンク部材２２は、所定長さの棒状に形成される。リンク部材２２は、一端が第１軸３１を通して前面パネル１８の内面上側に回転可能に結合され、他端が第２軸３２を通して昇降部材２１の下部に回転可能に結合される。また、前面ボディー１２に開口１９が形成されるが、この開口１９によって、リンク部材２２が前面ボディー１２を貫通して昇降部材２１に結合されるとともに、リンク部材２２が昇降部材２１と一緒に昇降できるようになる。このような構成により、昇降部材２１の昇降によって昇降部材２１とリンク部材２２とを連結する第２軸３２が上下に移動することで、前面パネル１８とリンク部材２２とを連結する第１軸３１が前方に押されるか、後方に引かれる。また、上記のような動作により、前面パネル１８が回転しながら開放または閉鎖される。
【００２１】
上記のような開閉装置２０は、従来の開閉装置より構成が単純でありながらも、前面吸入口１３を円滑に開閉することができる。すなわち、駆動モーター２６の動作による昇降部材２１の昇降動作が前面パネル１８の回転開閉動作に転換されるので、前面パネル１８の円滑な開閉を具現することができる。また、駆動ギア２５の直径（またはギア比）を調整すると、駆動モーター２６が小さい力によっても昇降部材２１を昇降できるので、駆動モーター２６の小型化も可能である。また、前面パネル１８の開閉時に昇降部材２１や駆動ギア２５に無理な力が加えられないので、開閉装置２０の耐久性も高められる。
【００２２】
ここでは、昇降部材２１を昇降させる駆動装置として、駆動モーター２６、駆動ギア２５、ラックギア部２４を例示したが、駆動装置は、昇降部材２１を昇降可能なものであれば、必ず上記のような形態に限定されることはない。駆動装置は、駆動モーターによって回転しながら昇降部材を昇降させる螺旋軸を含む形態であるか、通常の油圧シリンダーまたはソレノイド形態である。
【００２３】
以下、開閉装置２０の動作による前面パネル１８の開閉動作を説明する。
【００２４】
図３に示すように、駆動モーター２６の動作によって昇降部材２１が下降するとき、昇降部材２１とリンク部材２２とを連結する第２軸３２が下方に移動するので、前面パネル１８とリンク部材２２とを連結する第１軸３１が後方に引かれる。したがって、前面パネル１８が後方に回転しながら閉鎖される。
【００２５】
その反対に、図４に示すように、駆動モーター２６の動作によって昇降部材２１が上昇するとき、昇降部材２１とリンク部材２２とを連結する第２軸３２が上方に移動するので、前面パネル１８とリンク部材２２とを連結する第１軸３１が前方に押される。したがって、前面パネル１８が前方に回転しながら開放される。このように前面パネル１８が開放されると、前面吸入口１３が開放されるので、室内空気は、上面吸入口１４のみならず、前面吸入口１３を通しても本体の内部に吸入される。
【図面の簡単な説明】
【００２６】
【図１】本発明に係る空気調和機の構成を示した断面図である。
【図２】本発明に係る空気調和機の開閉装置を示した斜視図である。
【図３】本発明に係る空気調和機の開閉装置及び前面パネルを示した断面図で、前面パネルの閉鎖状態を示した図である。
【図４】本発明に係る空気調和機の開閉装置及び前面パネルを示した断面図で、前面パネルの開放状態を示した図である。
【符号の説明】
【００２７】
１０  本体
１１  後面ボディー
１２  前面ボディー
１３  前面吸入口
１４  上面吸入口
１５  吐出口
１６  熱交換器
１７  送風ファン
１８  前面パネル
２０  開閉装置
２１  昇降部材
２２  リンク部材
２４  ラックギア部
２５  駆動ギア
２６  駆動モーター
３１  第１軸
３２  第２軸
【図１】
2008267777.tif 000003
【図２】
2008267777.tif 000004
【図３】
2008267777.tif 000005
【図４】
2008267777.tif 000006